(57)【特許請求の範囲】
【請求項１】
端子金具を収容する端子収容部を備えたコネクタブロックを収納するハウジングと、
該ハウジングに組み付けられて、前記コネクタブロックの開口を覆うカバーとを備えたコネクタにおいて、
前記ハウジングが、前記カバー側の端部に、第１の壁部と第２の壁部を隣接して構成した溝部を有し、
前記カバーが、前記ハウジング側の端部に、第１の壁部と第２の壁部を隣接して構成した溝部を有し、
前記カバーの前記ハウジングへの組み付けにより、前記カバーと前記ハウジングのうちの一方の第１の壁部と第２の壁部の先端部が、前記カバーと前記ハウジングのうちの他方の前記溝部内に入り込んで、前記ハウジングのコネクタブロックの周囲に充填剤が注入される充填用空間を構成し、
前記充填用空間内に注入された充填剤の圧力により、前記一方の壁部の先端部が撓んで、前記他方の溝部を構成する壁部と密接するようにしたことを特徴とするコネクタ。
【請求項２】
前記カバーが、
前記ハウジングの外縁に取り付けられるとともに、前記第１の壁部を有する外カバーと、
該外カバー内に収容されて前記コネクタブロックの開口を覆うとともに、前記第２の壁部を有する内カバーとを備え、
該内カバーに、前記端子金具に取り付けられた電線を通す通孔を設け、
前記充填剤が、前記内カバーを完全に覆う位置まで注入されることを特徴とする請求項１記載のコネクタ。
【請求項３】
前記ハウジングと前記カバーの双方に、前記カバーを前記ハウジングに組み付けた状態で前記端子金具に取り付けられた電線を外部に導き出す導出孔を形成する導出部を設け、
前記ハウジングの導出部と前記カバーの導出部の少なくとも一方に、前記導出孔の内側に向かって立設して前記電線を押さえ付ける電線押さえ部を設け、
前記導出孔内に、前記充填剤を注入したことを特徴とする請求項１又は２記載のコネクタ。
【請求項４】
前記充填剤が、発泡性樹脂で構成されていることを特徴とする請求項１乃至３のいずれか１項に記載のコネクタ。
【発明の詳細な説明】
【技術分野】
【０００１】
本発明は、電線の接続等に使用されるコネクタに関する。
【背景技術】
【０００２】
自動車の車体には、種々の電子機器が搭載されており、この電子機器に電力や制御信号を伝えるために、複数の電線を束ねたワイヤハーネスが配線されている。前記ワイヤハーネスの端部には、連結具としてのコネクタが設けられており、該コネクタが各種電子機器に接続されるようになっている。
【０００３】
前記コネクタのうち、雨水等が侵入しやすい場所、例えばエンジンルーム内等で使用されるコネクタには、防水用のコネクタが用いられている（例えば、特許文献１参照）。
【０００４】
前記防水用のコネクタは、前記エンジンルーム内の電子機器に取り付けられたコネクタと嵌合して、電子機器に制御信号等を伝える。
【０００５】
前記防水用のコネクタは、電線の端部に接続された端子金具と、該端子金具が収容された端子収容部を備えたハウジングと、該ハウジングに組み付けられたカバーとを備えている。
【０００６】
前記ハウジング及びカバーは、絶縁性の合成樹脂で箱状に形成されている。前記ハウジングに前記カバーを組み付けることにより、ハウジング内に収容された端子金具の電線との接続部分を保護するようになっている。
【０００７】
前記ハウジングの端子収容部の周囲には、前記ハウジングに前記カバーを組み付けた状態で、充填用溝部が形成されている。該充填用溝部には、所定の充填剤が注入されるようになっている。
【０００８】
そして、前記注入された充填剤により、前記ハウジングに前記カバーを組み付けた状態で、カバーとハウジングの間を水密に保持し、コネクタの外部からハウジングの内部に雨水等が浸入するのを防ぐようになっている。
【特許文献１】特開２００１−７６８０８号公報
【発明の開示】
【発明が解決しようとする課題】
【０００９】
しかし、前記したコネクタでは、ハウジング及びカバーが樹脂成型品で成型されているので、成型時の寸法誤差を避けることができない。このため、ハウジングにカバーを組み付けた際に、カバーとハウジングの間の嵌合面に僅かな隙間が生ずることがある。
【００１０】
この状態で、前記充填用溝部に充填剤を注入すると、前記カバーとハウジングの嵌合面の隙間から充填剤が漏出するおそれがあった。
【００１１】
前記嵌合面から漏出した充填剤は、前記ハウジングの内部の端子収容部内に入り込んで、端子金具の接触不良を引き起こしたり、前記ハウジングの外部に漏出して、コネクタの外観を汚損するという問題があった。
【００１２】
したがって、本発明の目的は、カバーとハウジングの間を水密に保持することができるとともに、カバーとハウジングの嵌合面から充填剤が漏出することを防ぐことができるコネクタを提供することを目的とする。
【課題を解決するための手段】
【００１３】
上記目的を達成するために、請求項１に記載のコネクタは、端子金具を収容する端子収容部を備えたコネクタブロックを収納するハウジングと、該ハウジングに組み付けられて、前記コネクタブロックの開口を覆うカバーとを備えたコネクタにおいて、前記ハウジングが、前記カバー側の端部に、第１の壁部と第２の壁部を隣接して構成した溝部を有し、前記カバーが、前記ハウジング側の端部に、第１の壁部と第２の壁部を隣接して構成した溝部を有し、前記カバーの前記ハウジングへの組み付けにより、前記カバーと前記ハウジングのうちの一方の第１の壁部と第２の壁部の先端部が、前記カバーと前記ハウジングのうちの他方の前記溝部内に入り込んで、前記ハウジングのコネクタブロックの周囲に充填剤が注入される充填用空間を構成し、前記充填用空間内に注入された充填剤の圧力により、前記一方の壁部の先端部が撓んで、前記他方の溝部を構成する壁部と密接するようにしたことを特徴としている。
【００１４】
請求項２に記載のコネクタは、請求項１記載のコネクタにおいて、前記カバーが、前記ハウジングの外縁に取り付けられるとともに、前記第１の壁部を有する外カバーと、該外カバー内に収容されて前記コネクタブロックの開口を覆うとともに、前記第２の壁部を有する内カバーとを備え、該内カバーに、前記端子金具に取り付けられた電線を通す通孔を設け、前記充填剤が、前記内カバーを完全に覆う位置まで注入されることを特徴としている。
【００１５】
請求項３に記載のコネクタは、請求項１又は２記載のコネクタにおいて、前記ハウジングと前記カバーの双方に、前記カバーを前記ハウジングに組み付けた状態で前記端子金具に取り付けられた電線を外部に導き出す導出孔を形成する導出部を設け、前記ハウジングの導出部と前記カバーの導出部の少なくとも一方に、前記導出孔の内側に向かって立設して前記電線を押さえ付ける電線押さえ部を設け、前記導出孔内に、前記充填剤を注入したことを特徴としている。
【００１６】
請求項４に記載のコネクタは、請求項１乃至３のいずれか１項に記載のコネクタにおいて、前記充填剤が、発泡性樹脂で構成されていることを特徴としている。
【発明の効果】
【００１７】
請求項１に記載のコネクタは、端子金具を収容する端子収容部を備えたコネクタブロックを収納するハウジングと、該ハウジングに組み付けられて、前記コネクタブロックの開口を覆うカバーとを備えたコネクタにおいて、前記ハウジングが、前記カバー側の端部に、第１の壁部と第２の壁部を隣接して構成した溝部を有し、前記カバーが、前記ハウジング側の端部に、第１の壁部と第２の壁部を隣接して構成した溝部を有し、前記カバーの前記ハウジングへの組み付けにより、前記カバーと前記ハウジングのうちの一方の第１の壁部と第２の壁部の先端部が、前記カバーと前記ハウジングのうちの他方の前記溝部内に入り込んで、前記ハウジングのコネクタブロックの周囲に充填剤が注入される充填用空間を構成し、前記充填用空間内に注入された充填剤の圧力により、前記一方の壁部の先端部が撓んで、前記他方の溝部を構成する壁部と密接するようにしたので、カバーとハウジングの間を水密に保持することができ、また、ハウジング及びカバーの成型時の寸法誤差により、ハウジングにカバーを組み付けた際に、カバーとハウジングの間の嵌合面に僅かな隙間が生ずるような場合でも、前記嵌合面からの充填剤の漏出を防ぐことができる。
【００１８】
そのために、前記嵌合面から漏出した充填剤が、ハウジングの内部のコネクタブロック内に入り込んで端子金具の接触不良を引き起こしたり、ハウジングの外部へ漏出してコネクタの外観を汚損することを防ぐことができる。
【００１９】
また、充填用空間内に注入された充填剤の圧力により、前記カバーと前記ハウジングのうちの一方の壁部の先端部が撓んで、前記カバーと前記ハウジングのうちの他方の溝部を構成する壁部と密接するようにしたので、カバーとハウジングの間を水密に保持するためにパッキン等の専用の部材を設ける必要がなく、部品点数の増加を防止してコストの高騰を防止できる。
【００２０】
請求項２に記載のコネクタは、前記カバーが、前記ハウジングの外縁に取り付けられるとともに、前記第１の壁部を有する外カバーと、該外カバー内に収容されて前記コネクタブロックの開口を覆うとともに、前記第２の壁部を有する内カバーとを備え、該内カバーに、前記端子金具に取り付けられた電線を通す通孔を設け、前記充填剤が、前記内カバーを完全に覆う位置まで注入されるので、外カバー及び内カバーとハウジングの間を水密に保持することができ、また、外カバー及び内カバーとハウジングの間の嵌合面に僅かな隙間が生ずるような場合でも、前記嵌合面からの充填剤の漏出を防ぐことができる。
【００２１】
また、前記内カバーに、前記端子金具に取り付けられた電線を通す通孔を設け、前記充填剤が、前記内カバーを完全に覆う位置まで注入されるので、電線が内カバーの通孔を通る際に電線がはらけて電線の間に隙間が生じるようになり、この状態で、充填剤が内カバーを完全に覆う位置まで注入されるので、前記電線の間の隙間にも充填剤が入り込むようになり、そのために、電線の間を充填剤で効率的に封止することができ、コネクタの水密性をより高めることができる。
【００２２】
請求項３に記載のコネクタは、前記ハウジングと前記カバーの双方に、前記カバーを前記ハウジングに組み付けた状態で前記端子金具に取り付けられた電線を外部に導き出す導出孔を形成する導出部を設け、前記ハウジングの導出部と前記カバーの導出部の少なくとも一方に、前記導出孔の内側に向かって立設して前記電線を押さえ付ける電線押さえ部を設け、前記導出孔内に、前記充填剤を注入したので、前記したカバーとハウジングの間を水密に保持することができるとともに、カバーとハウジングの間の嵌合面に僅かな隙間が生ずるような場合でも、前記嵌合面からの充填剤の漏出を防ぐことができるという効果に加えて、電線押さえ部で押さえ付けられた電線が前記導出部の導出孔を通って外部に導き出される際に、電線がばらけて電線の間に隙間が生じるようになり、この状態で、前記導出孔内に充填剤を注入したので、前記電線の間の隙間にも充填剤が入り込むようになり、そのために、電線の間を充填剤で効率的に封止することができ、コネクタの水密性をより高めることができる。
【００２３】
請求項４に記載のコネクタは、前記充填剤が、発泡性樹脂で構成されているので、膨らんだ充填剤の圧力により、前記カバーと前記ハウジングのうちの一方の壁部の先端部が十分に撓んで、前記カバーと前記ハウジングのうちの他方の溝部を構成する壁部と密接するようになり、カバーとハウジングの間を確実に水密に保持することができる。
【００２４】
また、ハウジング及びカバーの成型時の寸法誤差により、ハウジングにカバーを組み付けた際に、カバーとハウジングの間の嵌合面に僅かな隙間が生ずるような場合でも、嵌合面からの充填剤の漏出を確実に防ぐことができる。
【発明を実施するための最良の形態】
【００２５】
本発明の第１の実施形態に係るコネクタを、図１乃至図７に基いて説明する。
【００２６】
図１乃至図４に示すように、本発明のコネクタＣは、電線１の端部に接続された端子金具２と、該端子金具２が収容された端子収容部３を備えたコネクタブロック３１を収納したハウジング４と、該ハウジング４に組み付けられて、前記コネクタブロック３１の開口を覆うカバー５とを備えている。
【００２７】
前記ハウジング４は、絶縁性の合成樹脂で構成されて、筒状に形成されている。前記ハウジング４の内部には、端子収容部３を備えたコネクタブロック３１が収納されるようになっている。
【００２８】
前記ハウジング４は、周壁として筒状に形成された第１の壁部４１を備えており、該第１の壁部４１の内側には、第１の壁部４１と同軸状で筒状の第２の壁部４２が形成されている。そして、前記第２の壁部４２の内側には、前記コネクタブロック３１が収納されている。
【００２９】
前記コネクタブロック３１は、図２に示すように、端子収容プレート３２の集合体をホルダ３３に組み込んで構成される。前記コネクタブロック３１は、前記端子収容プレート３２により区画された端子収容部３としてのキャビティ３４を複数備えており、該キャビティ３４には、端子金具２が収容されるようになっている。
【００３０】
前記キャビティ３４は、図４に示すように、前記コネクタブロック３１が前記ハウジング４に収納されることにより、前記ハウジング４内を上下方向に貫通するようになっている。前記キャビティ３４内には、図５に示すように、雌型の端子金具２が収容されている。
【００３１】
前記端子金具２は、導電性の金属板を打ち抜いて形成されており、電線接続部２１と、電気接触部２２を備えている。前記電線接続部２１には、自動車の車体内に配線されたワイヤーハーネスを構成する電線１の端部がかしめられており、これにより、端子金具２が電線１の端部に接続固定されるとともに、電気的に接続されている。前記電気接触部２２は、筒状に形成されており、図示しない雄型端子の挿入端を受け入れる雌型端子として構成されている。
【００３２】
そして、前記キャビティ３４内に雌型の端子金具２を収容したコネクタブロック３１が、前記ハウジング４内に収納されることにより、複数の端子金具２を高密度に実装した多極のコネクタＣが構成されるようになっている。前記コネクタＣは、例えば、自動車のエンジンルーム内の電子機器に取り付けられたコネクタ（図示せず）と嵌合する。前記電子機器側のコネクタは、雄型の端子金具（図示せず）を備えており、該雄型の端子金具が前記コネクタＣの雌型の端子金具２と接続することにより、電子機器に制御信号等が伝えられる。
【００３３】
前記ハウジング４には、前記コネクタブロック３１のキャビティ３４の開口を覆うようにカバー５が組み付けられる。該カバー５は、絶縁性の合成樹脂で構成されて、箱状に形成されている。
【００３４】
前記ハウジング４は、前記したように、周壁としての第１の壁部４１と、その内側に第２の壁部４２を備えている。図５に示すように、前記ハウジング４は、前記カバー５側の端部に、第１の壁部４１と第２の壁部４２が隣接して構成された断面コ字状の溝部４３を有している。
【００３５】
そして、図４に示すように、前記溝部４３が、前記ハウジング４に収納されたコネクタブロック３１の周囲を囲むように構成されている。なお、図５に示すように、前記溝部４３を構成するハウジング４の第１の壁部４１の先端面４１ａが、第２の壁部４２の先端面４２ａより高い位置に形成されている。
【００３６】
一方、前記ハウジング４に組み付けられるカバー５は、図５に示すように、周壁として筒状に形成された第１の壁部５１と、該第１の壁部５１の内側に、第１の壁部５１と同軸状で筒状の第２の壁部５２と、前記第１の壁部５１と第２の壁部５２の一方の開放端部を塞いだ底壁部５３とを備えており、全体として、前記したように箱状に形成されている。
【００３７】
また、前記カバー５は、前記ハウジング４側の端部に、前記第１の壁部５１と第２の壁部５２が隣接して構成された断面コ字状の溝部５４を有している。
【００３８】
図６に示すように、前記カバー５の第１の壁部５１と第２の壁部５２のハウジング４側の先端部には、それぞれ、段部５１ａ、５２ａが形成されており、該段部５１ａ、５２ａより先の部分には、壁部５１、５２の板厚を薄くした先端薄肉部５１ｂ、５２ｂが形成されている。そして、前記ハウジング４にカバー５を組み付けたときに、カバー５の第１の壁部５１の段部５１ａと第２の壁部５２の段部５２ａが、それぞれ、ハウジング４の第１の壁部４１の先端面４１ａと第２の壁部４２の先端面４２ａに当接するとともに、前記カバー５の第１の壁部５１の先端薄肉部５１ｂと第２の壁部５２の先端薄肉部５２ｂが、前記ハウジング４の溝部４３内に入り込むようになっている。その際、ハウジング４の溝部４３内に入り込んだカバー５の第１の壁部５１の先端薄肉部５１ｂとハウジング４の溝部４３を構成する第１の壁部４１、及び、カバー５の第２の壁部５２の先端薄肉部５２ｂとハウジング４の溝部４３を構成する第２の壁部４２の間には、それぞれ、隙間ｘ１、ｘ２が形成されている。
【００３９】
前記ハウジング４へのカバー５の組み付けにより、前記カバー５の第１の壁部５１の先端薄肉部５１ｂと第２の壁部５２の先端薄肉部５２ｂが、前記ハウジング４の溝部４３内に入り込み、ハウジング４の端部の溝部４３とカバー５の端部の溝部５４が一体に構成されるようになっており、ハウジング４に収納されたコネクタブロック３１の周囲には、充填剤が注入される充填用空間６が構成されるようになっている。そして、前記充填用空間６内には、発泡性の充填剤７（例えば、二液混合型の発泡ウレタン樹脂）が注入されるように構成されている。
【００４０】
また、図７に示しように、前記充填用空間６内で膨らんだ充填剤７の液圧により、ハウジング４の溝部４３内に入り込んだカバー５の第１の壁部５１の先端薄肉部５１ｂと第２の壁部５２の先端薄肉部５２ｂが、それぞれ、二点鎖線で示すように外側に向けて撓み、ハウジング４の第１の壁部４１と第２の壁部４２に密接するように構成されている。
【００４１】
これにより、ハウジング４の溝部４３内に入り込んだカバー５の第１の壁部５１の先端薄肉部５１ｂとハウジング４の溝部４３を構成する第１の壁部４１、及び、カバー５の第２の壁部５２の先端薄肉部５２ｂとハウジング４の溝部４３を構成する第２の壁部４２の間に形成された隙間ｘ１、ｘ２が塞がれるようになり、その後、所定時間が経過して前記充填剤７が硬化することにより、ハウジング４にカバー５を組み付けた状態で、カバー５とハウジング４の間を水密に保持できるようになっている。
【００４２】
また、図６に示すように、カバー５の第１の壁部の段部５１ａと第２の壁部５２の段部５２ａがそれぞれ当接するハウジング４の第１の壁部４１の先端面４１ａと第２の壁部４２の先端面４２ａは、ハウジング４にカバー５を組み付けた際のカバー５とハウジング４の間の嵌合面８ａ、８ｂを構成するようになっている。
【００４３】
このため、図７に示すように、前記カバー５の第１の壁部５１の先端薄肉部５１ｂと第２の壁部５２の先端薄肉部５２ｂが、前記したように撓んで変形して、ハウジング４の第１の壁部４１と第２の壁部４２に密接することにより、カバー５とハウジング４の間の嵌合面８ａ、８ｂに僅かな隙間が生ずるような場合でも、カバー５とハウジング４の嵌合面８ａ、８ｂから充填剤７が漏出することを防ぐことができるようになっている。
【００４４】
なお、前記カバー５の第１の壁部５１の先端薄肉部５１ｂと第２の壁部５２の先端薄肉部５２ｂの撓み量は、前記ハウジング４の溝部４３内に入り込んだ前記先端薄肉部５１ｂ、５２ｂの長さ及び肉厚と、前記充填剤７の液圧との関係で決まるものである。
【００４５】
また、図３に示すように、前記ハウジング４に組み付けられたカバー５は、カバー５に突設されたフック５５がハウジング４の係止部４４と係合することで、ハウジング４へのカバー５の組み付け状態が保持されるようになっている。
【００４６】
また、前記カバー５には、前記充填用空間６内の空気を排出するための排出孔５６が形成されており、充填用空間６内に充填される充填剤７の充填動作を円滑にするようにしている。
【００４７】
図３及び図４に示すように、コネクタＣのハウジング４のコネクタブロック３１に収容された端子金具２と接続された電線１の束は、前記ハウジング４にカバー５を組み付けた状態で、ハウジング４とカバー５により形成された筒体状の導出部９の導出孔９ａを通ってコネクタＣの外部に導き出されるようになっている。
【００４８】
前記導出部９は、前記ハウジング４と前記カバー５の双方に設けられており、前記ハウジング４の周壁としての第１の壁部４１に突設された支持板部４５と、前記カバー５の周壁としての第１の壁部５１に突設されたＵ字状部５７から構成されている。前記ハウジング４の導出部としての支持板部４５は、コネクタＣの外部に導き出される電線１を支持するようになっており、前記カバー５の導出部としてのＵ字状部５７は、前記電線１の周囲を覆うようになっている。
【００４９】
図１に示すように、前記ハウジング４の支持板部４５の内面４５ａは、前記ハウジング４の第１の壁部４１の先端面４１ａと同じ高さの位置に形成されており、前記支持板部４５から前記ハウジング４の溝部４３に向けて段差４５ｂが形成されるようになっている。
【００５０】
また、前記カバー５のＵ字状部５７には、前記充填剤７を注入するための注入孔５８が形成されている。
【００５１】
前記した構成のコネクタＣを組み立てるには、まず、前記コネクタブロック３１を、前記ハウジング４の第２の壁部４２の内側に収納する。
【００５２】
次に、前記コネクタブロック３１のキャビティ３４内に、電線１の端部に接続固定された端子金具２を収容する。
【００５３】
次に、前記端子金具２と接続した電線１の束を前記ハウジング４の支持板部４５で支持する。
【００５４】
次に、前記ハウジング４に前記カバー５を組み付ける。
【００５５】
その際、前記カバー５の第１の壁部５１の段部５１ａと第２の壁部５２の段部５２ａが、それぞれ、ハウジング４の第１の壁部４１の先端面４１ａと第２の壁部４２の先端面４２ａと当接するとともに、前記カバー５の第１の壁部５１の先端薄肉部５１ｂと第２の壁部５２の先端薄肉部５２ｂが、前記ハウジング４の溝部４３内に入り込むようになっている。これにより、ハウジング４の端部の溝部４３とカバー５の端部の溝部５４が一体に構成されるようになり、ハウジング４のコネクタブロック３１の周囲には、充填剤が注入される充填用空間６が構成される。
【００５６】
また、前記カバー５のフック５５が、前記ハウジング４の係止部４４と係合して、ハウジング４へのカバー５の組み付け状態が保持される。さらに、前記カバー５のＵ字状部５７により、前記導出された電線１の周囲が覆われる。
【００５７】
次に、前記ハウジング４に組み付けたカバー５のＵ字状部５７の注入孔５８から、図示しない注入ノズルを介して発泡性の充填剤７（例えば、二液混合型の発泡ウレタン樹脂）を注入する。前記発泡性の充填剤７は、注入直後は流動性が高く、狭い隙間の間にも入り込みやすいが、所定時間が経過すると硬化する性質を有している。
【００５８】
前記カバー５のＵ字状部５７の注入孔５８から注入された充填剤７は、前記Ｕ字状部５７で覆われた電線１の束の周囲及び電線１の束の隙間を伝わって、前記電線１を支持する前記ハウジング４の支持板部４５に向けて流れ、さらに、前記支持板部４５の内面４５ａ、及び支持板部４５に形成された段差４５ｂを経て、前記ハウジング４の溝部４３内に流れ込む。そして、前記ハウジング４のコネクタブロック３１の周囲に形成された充填用空間６内に、前記充填剤７が充填されるようになる。
【００５９】
前記充填用空間６内に充填された充填剤７は、発泡性を有しているので、充填用空間６内で膨らむ。そして、図７に示すように、膨らんだ充填剤７の液圧により、ハウジング４の溝部４３内に入り込んだカバー５の第１の壁部５１の先端薄肉部５１ｂと第２の壁部５２の先端薄肉部５２ｂが、二点鎖線で示すように外側に向けて撓み、ハウジング４の第１の壁部４１と第２の壁部４２に密接するようになる。これにより、ハウジング４の溝部４３内に入り込んだカバー５の第１の壁部５１の先端薄肉部５１ｂとハウジング４の溝部４３を構成する第１の壁部４１、及び、前記カバー５の第２の壁部５２の先端薄肉部５２ｂとハウジング４の溝部４３を構成する第２の壁部４２の間に形成された隙間ｘ１、ｘ２が塞がれるようになる。
【００６０】
その後、所定時間が経過すると、前記充填剤７が硬化し、ハウジング４にカバー５を組み付けた状態で、カバー５とハウジング４の間を水密に保持したコネクタＣが得られる。
【００６１】
なお、前記ハウジング４とカバー５により形成された導出部９においても、電線１の束の周囲及び電線１の束の隙間に充填された充填剤７が硬化するので、前記導出部９における水密も保持される。
【００６２】
このように、本実施形態のコネクタＣにおいては、ハウジング４が、カバー５側の端部に、第１の壁部４１と第２の壁部４２を隣接して構成した溝部４３を有し、カバー５が、ハウジング４側の端部に、第１の壁部５１と第２の壁部５２を隣接して構成した溝部５４を有し、カバー５のハウジング４への組み付けにより、カバー５の第１の壁部５１の先端部５１ｂと第２の壁部５２の先端部５２ｂが、ハウジング４の溝部４３内に入り込んで、ハウジング４のコネクタブロック３１の周囲に充填剤７が注入される充填用空間６を構成し、充填用空間６内に注入された充填剤７の液圧により、カバー５の第１の壁部５１の先端薄肉部５１ｂと第２の壁部５２の先端薄肉部５２ｂが撓んで、ハウジング４の溝部４３を構成する第１の壁部４１と第２の壁部４２と密接するようにしたので、カバー５とハウジング４の間を水密に保持することができ、また、ハウジング４及びカバー５の成型時の寸法誤差により、ハウジング４にカバー５を組み付けた際に、カバー５とハウジング４の間の嵌合面８ａ、８ｂに僅かな隙間が生ずるような場合でも、前記嵌合面８ａ、８ｂからの充填剤７の漏出を防ぐことができる。
【００６３】
そのために、前記嵌合面８ａ、８ｂから漏出した充填剤７が、ハウジング４の内部のコネクタブロック３１内に入り込んで端子金具２の接触不良を引き起こしたり、ハウジング４の外部へ漏出してコネクタＣの外観を汚損することを防ぐことができる。
【００６４】
また、充填用空間６の内部に注入した充填剤７の液圧により、カバー５の第１の壁部５１の先端薄肉部５１ｂと第２の壁部５２の先端薄肉部５２ｂが撓んで、ハウジング４の第１の壁部４１と第２の壁部４２と密接するようにしたので、カバー５とハウジング４の間を水密に保持するためにパッキン等の専用の部材を設ける必要がなく、部品点数の増加を防止してコストの高騰を防止できる。
【００６５】
本実施形態のコネクタＣにおいては、充填用空間６の内部に注入した充填剤７が、発泡性樹脂で構成されているので、充填用空間６内で充填剤７が膨らむようになり、この膨らんだ充填剤７の液圧により、カバー５の第１の壁部５１の先端薄肉部５１ｂと第２の壁部５２の先端薄肉部５２ｂが十分に撓んで、ハウジング４の第１の壁部４１と第２の壁部４２と密接するようになり、カバー５とハウジング４の間を確実に水密に保持することができる。また、ハウジング４及びカバー５の成型時の寸法誤差により、ハウジング４にカバー５を組み付けた際に、カバー５とハウジング４の間の嵌合面８ａ、８ｂに僅かな隙間が生ずるような場合でも、嵌合面８ａ、８ｂからの充填剤７の漏出を確実に防ぐことができる。
【００６６】
なお、前記した実施形態では、カバー５のハウジング４への組み付けにより、カバー５の第１の壁部５１の先端部５１ｂと第２の壁部５２の先端部５２ｂが、ハウジング４の溝部４３内に入り込んで、充填用空間６を構成するようになっているが、ハウジング４の第１の壁部４１の先端部と第２の壁部４２の先端部がカバー５の溝部５４内に入り込んで、充填用空間６を構成するようにしてもよい。
【００６７】
即ち、充填剤７の液圧により、ハウジング４の壁部４１、４２の先端部が撓んで、カバーの壁部５１、５２と密接するようになれば、カバー５とハウジング４の間を確実に水密に保持することができ、また、ハウジング４及びカバー５の成型時の寸法誤差により、ハウジング４にカバー５を組み付けた際に、カバー５とハウジング４の間の嵌合面に僅かな隙間が生ずるような場合でも、前記嵌合面からの充填剤７の漏出を確実に防ぐことができる。
【００６８】
また、前記充填剤７は、前記発泡ウレタン樹脂に限定されるものではなく、発泡性樹脂で注入後に硬化する性質を有するものであれば、いずれでもよい。
【００６９】
図８乃至図１０は、本発明の第２の実施形態に係るコネクタＣを示したもので、前記した実施形態と同一部分には同一符号を付して、説明を省略する。本実施形態のコネクタＣは、前記ハウジング４に組み付けられるカバー５が、外カバー５１０と内カバー５２０から構成されている。
【００７０】
前記外カバー５１０は、前記ハウジング４の外縁に取り付けられるように形成されるとともに、周壁としての第１の壁部５１１を有している。そして、前記第１の壁部５１１が、前記ハウジング４の周壁としての第１の壁部４１と係合するようになっている。
【００７１】
即ち、前記外カバー５１０は、前記ハウジング４側の端部に、第１の壁部５１１を有している。図１０に示すように、前記外カバー５１０の第１の壁部５１１のハウジング４側の先端部には、段部５１１ａが形成されており、該段部５１１ａより先の部分には、壁部の板厚を薄くした先端薄肉部５１１ｂが形成されている。
【００７２】
そして、前記ハウジング４に外カバー５１０を組み付けたときに、前記外カバー５１０の第１の壁部５１１の段部５１１ａが、ハウジング４の第１の壁部４１の先端面４１ａと当接するとともに、前記外カバー５１０の第１の壁部５１１の先端薄肉部５１１ｂが、前記ハウジング４の溝部４３内に入り込むようになっている。
【００７３】
また、前記内カバー５２０は、前記外カバー５１０内に収容されて、前記ハウジング４内に収納されたコネクタブロック３１のキャビティ３４の開口を覆うように形成されるとともに、前記ハウジング４側の端部に、第２の壁部５２１を有している。
【００７４】
図１０に示すように、前記内カバー５２０の第２の壁部５２１のハウジング４側の先端部には、段部５２１ａが形成されており、該段部５２１ａより先の部分には、壁部の板厚を薄くした先端薄肉部５２１ｂが形成されている。
【００７５】
そして、前記ハウジング４に内カバー５２０を組み付けたときに、前記内カバー５２０の第２の壁部５２１の段部５２１ａが、ハウジング４の第２の壁部４２の先端面４２ａと当接するとともに、前記内カバー５２０の第２の壁部５２１の先端薄肉部５２１ｂが、前記ハウジング４の溝部４３内に入り込むようになっている。
【００７６】
また、前記外カバー５１０及び前記内カバー５２０をハウジング４に組み付けたときに、外カバー５１０と内カバー５２０の間には、充填剤７が注入される溝部５４１が形成されるようになり、外カバー５１０及び内カバー５２０のハウジング４への組み付けにより、ハウジング４の端部の溝部４３と外カバー５１０及び内カバー５２０による溝部５４１が一体に構成されて、ハウジング４のコネクタブロック３１の周囲には、充填剤７が注入される充填用空間６が構成される。そして、前記充填用空間６には、発泡性の充填剤７が注入されるようになっている。
【００７７】
また、前記充填用空間６内で膨らんだ充填剤７の液圧により、ハウジング４の溝部４３内に入り込んだ外カバー５１０の第１の壁部５１１の先端薄肉部５１１ｂと、内カバー５２０の第２の壁部５２１の先端薄肉部５２１ｂが、それぞれ、外側に向けて撓み、外カバー５１０の第１の壁部５１１の先端薄肉部５１１ｂがハウジング４の第１の壁部４１に密接するとともに、内カバー５２０の第２の壁部５２１の先端薄肉部５２１ｂがハウジング４の第２の壁部４２に密接するように構成されている。
【００７８】
これにより、ハウジング４の溝部４３内に入り込んだ外カバー５１０の第１の壁部５１１の先端薄肉部５１１ｂとハウジング４の溝部４３を構成する第１の壁部４１、及び、内カバー５２０の第２の壁部５２１の先端薄肉部５２１ｂとハウジング４の溝部４３を構成する第２の壁部４２との間に形成された隙間が塞がれるようになり、所定時間が経過して前記充填剤７が硬化することにより、ハウジング４に外カバー５１０及び内カバー５２０を組み付けた状態で、外カバー５１０及び内カバー５２０とハウジング４の間を水密に保持できるようになっている。
【００７９】
また、前記外カバー５１０の第１の壁部５１１の先端薄肉部５１１ｂと、内カバー５２０の第２の壁部５２１の先端薄肉部５２１ｂが、前記したように撓んで変形して、ハウジング４の第１の壁部４１と第２の壁部４２に密接することにより、外カバー５１０及び内カバー５２０とハウジング４の間の嵌合面８ａ、８ｂに僅かな隙間が生ずるような場合でも、前記嵌合面８ａ、８ｂから充填剤７が漏出することを防ぐことができるようになっている。
【００８０】
また、前記内カバー５２０には、前記端子金具２に取り付けられた電線１を通す通孔５２２が設けられている。
【００８１】
即ち、内カバー５２０の外カバー５１０側の端部には、長孔形状の通孔５２２が設けられている。前記内カバー５２０の通孔５２２の開口面積は、前記ハウジング４側の端部の開口面積より小さく形成されており、前記内カバー５２０は、前記ハウジング４側から前記外カバー５側に向けてすぼまるように形成された段部５２３を備えている。そして、前記ハウジング４のコネクタブロック３１に収容された端子金具２に接続された電線１の束が、図９に示すように、前記内カバー５２０の通孔５２２を通って内カバー５２０の外部に引き出されるようになっている。
【００８２】
また、前記した状態で、前記充填剤７が、前記内カバー５２０を完全に覆う位置まで充填されるようになっている。
【００８３】
また、前記引き出された電線１の束は、前記ハウジング４に外カバー５１０を組み付けた状態で、ハウジング４と外カバー５１０により形成された筒体状の導出部９の導出孔９ａを通ってコネクタＣの外部に導き出されるようになっている。なお、前記内カバー５２０の前記導出部９側の端部５２４は、開放されており、前記内カバー５２０から引き出された電線１の束が、前記導出部９に向けて案内されるようになっている。
【００８４】
前記したように、前記内カバー５２０に、前記端子金具２に取り付けられた電線１を通す通孔５２２を設け、前記充填剤７が、前記内カバー５２０を完全に覆う位置まで注入されるので、電線１が内カバー５２０の通孔５２２部分を通る際に、電線１がはらけて電線１の間に隙間が生じるようになる（図９参照）。この状態で、充填剤７が内カバー５２０を完全に覆う位置まで注入されるので、前記内カバー５２０の通孔５２２部分を通る電線１の間の隙間にも充填剤７が入り込むようになり、そのために、電線１の間を充填剤７で効率的に封止することができるようになる。
【００８５】
なお、前記充填剤７は、所定時間が経過すると硬化するので、充填剤７が前記内カバー５２０の通孔５２２部分の電線１の間の隙間からハウジング４のコネクタブロック３１側に入り込むおそれはない。
【００８６】
前記した構成のコネクタＣを組み立てるには、ハウジング４のコネクタブロック３１に端子金具２を収容するまでは、前記した第１の実施形態と同じである。この状態で、ハウジング４に内カバー５２０を組み付けるとともに、内カバー５２０の通孔５２２を通って、前記端子金具２に接続された電線１の束を内カバー５２０の外へ引き出す。
【００８７】
次に、ハウジング４に外カバー５１０を組み付ける。
【００８８】
これにより、外カバー５１０の第１の壁部５１１の先端薄肉部５１１ｂと、内カバー５２０の第２の壁部５２１の先端薄肉部５２１ｂが、ハウジング４の溝部４３内に入り込むようになり、外カバー５１０及び内カバー５２０のハウジング４への組み付けにより、外カバー５１０と内カバー５２０の間には、充填剤７が注入される溝部５４１が形成されるようになる。そして、前記溝部５４１が、ハウジング４の端部の溝部４３と一体に構成されて、ハウジング４のコネクタブロック３１の周囲には、充填剤７が注入される充填用空間６が構成される。
【００８９】
この状態で、外カバー５１０の注入孔５８から発泡性の充填剤７（例えば発泡ウレタン樹脂）を注入すると、充填剤７は、前記充填用空間６内に充填されるようになる。
【００９０】
そして、前記充填用空間６内で膨らんだ充填剤７の液圧により、外カバー５１０の第１の壁部５１１の先端薄肉部５１１ｂと内カバー５２０の第２の壁部５２１の先端薄肉部５２１ｂが外側に向けて撓み、外カバー５１０の第１の壁部５１１がハウジング４の第１の壁部４１に密接するとともに、内カバー５２０の第２の壁部５２１がハウジング４の第２の壁部４２に密接する。これにより、外カバー５１０の第１の壁部５１１の先端薄肉部５１１ｂとハウジング４の溝部４３を構成する第１の壁部４１、及び、内カバー５２０の第２の壁部５２１の先端薄肉部５２１ｂとハウジング４の溝部４３を構成する第２の壁部４２の間に形成された隙間が塞がれたコネクタＣが得られる。
【００９１】
また、前記充填用空間６に注入された充填剤７が、内カバー５２０を完全に覆う位置まで注入されることにより、前記通孔５２２部分を挿通する際に電線１の束がばらけて生じた電線１の間の隙間にも、充填剤７が入り込むようになり、電線１の間を充填剤７で効率的に封止したコネクタＣが得られる。
【００９２】
このように、本実施形態のコネクタＣにおいては、カバー５が、ハウジング４の外縁に取り付けられるとともに、第１の壁部５１１を有する外カバー５１０と、外カバー５１０内に収容されてコネクタブロック３１の開口を覆うとともに、第２の壁部５２１を有する内カバー５２０とを備え、内カバー５２０に、端子金具２に取り付けられた電線１を通す通孔５２２を設け、充填剤７が、内カバー５２０を完全に覆う位置まで注入されるので、外カバー５１０及び内カバー５２０とハウジング４の間を水密に保持することができ、また、外カバー５１０及び内カバー５２０とハウジング４の間の嵌合面８ａ、８ｂに僅かな隙間が生ずるような場合でも、嵌合面８ａ、８ｂからの充填剤７の漏出を防ぐことができる。
【００９３】
また、内カバー５２０に、端子金具２に取り付けられた電線１を通す通孔５２２を設け、充填剤７が、内カバー５２０を完全に覆う位置まで注入されるので、電線１が内カバー５２０の通孔５２２を通る際に電線１がはらけて電線１の間に隙間が生じるようになり、この状態で、充填剤７が内カバー５２０を完全に覆う位置まで注入されるので、電線１の間の隙間にも充填剤７が入り込むようになり、そのために、電線１の間を充填剤７で効率的に封止することができ、コネクタＣの水密性をより高めることができる。
【００９４】
なお、前記した実施形態では、外カバー５１０及び内カバー５２０のハウジング４への組み付けにより、外カバー５１０の第１の壁部５１１の先端薄肉部５１１ｂがハウジング４の溝部４３内に入り込む（即ち、外カバー５１０の第１の壁部５１１の先端薄肉部５１１ｂがハウジング４の第１の壁部４１の内側に入り込む）とともに、内カバー５２０の第２の壁部５２１の先端薄肉部５２１ｂがハウジング４の溝部４３内に入り込む（即ち、内カバー５２０の第２の壁部５２１の先端薄肉部５２１ｂがハウジング４の第２の壁部４２の内側に入り込む）ようなっているが、ハウジング４の第１の壁部４１の先端部と第２の壁部４２の先端部が、それぞれ、外カバー５１０の第１の壁部５１１と内カバー５２０の第２の壁部５２１の内側に入り込んで、充填用空間６を構成するようにしてもよい。
【００９５】
即ち、充填剤７の液圧により、ハウジング４の壁部４１、４２の先端部がそれぞれ外側に撓んで、外カバー５１０の第１の壁部５１１と内カバー５２０の第２の壁部５２１と密接するようになれば、外カバー５１０及び内カバー５２０とハウジング４の間を確実に水密に保持することができ、また、ハウジング４及び外カバー５１０、内カバー５２０の成型時の寸法誤差により、ハウジング４に外カバー５１０及び内カバー５２０を組み付けた際に、外カバー５１０及び内カバー５２０とハウジング４の間の嵌合面に僅かな隙間が生ずるような場合でも、前記嵌合面からの充填剤７の漏出を確実に防ぐことができる。
【００９６】
図１１及び図１２は、本発明の第３の実施形態に係るコネクタＣを示したもので、本実施形態のコネクタＣは、前記した第１の実施形態の構成に加えて、コネクタＣの外部に導き出される電線１を押さえ付ける電線押さえ部１０ａ、１０ｂを有している。
【００９７】
即ち、前記したように、コネクタＣのハウジング４のコネクタブロック３１に収容された端子金具２と接続された電線１の束は、ハウジング４にカバー５を組み付けた状態で、ハウジング４とカバー５により形成された筒体状の導出部９の導出孔９ａを通ってコネクタＣの外部に導き出されるようになっている。
【００９８】
前記導出部９は、前記ハウジング４と前記カバー５の双方に設けられており、前記ハウジング４の周壁としての第１の壁部４１に突設された支持板部４５と、前記カバー５の周壁としての第１の壁部５１に突設されたＵ字状部５７から構成されている。前記導出部９の内部には、前記電線１をコネクタＣの外部に導き出す導出孔９ａが形成されている。
【００９９】
また、前記導出部９を構成する前記ハウジング４の支持板部４５に面した前記ハウジング４の第２の壁部４２には、前記導き出される電線１を押さえ付けるように前記導出孔９ａの内側に向かって、電線押さえ部１０ａが立設されている。また、前記カバー５のＵ字状部５７の内面であって、前記ハウジング４の電線押さえ部１０ａと対応した位置にも、前記導き出される電線１を押さえ付けるように前記導出孔９ａの内側に向かって、電線押さえ部１０ｂが立設されている。
【０１００】
そして、ハウジング４にカバー５を組み付けた状態で、ハウジング４のコネクタブロック３１に収容された端子金具２と接続した電線１の束が、前記ハウジング４とカバー５の電線押さえ部１０ａ、１０ｂにより、上下から押さえ付けられて束ねられ、この束ねられた電線１の束が、前記導出部９の導出孔９ａを通ってコネクタＣの外部に導き出されるようになっている。
【０１０１】
ここで、前記コネクタＣの外部に導出される電線１の束は、前記したように、一度前記電線押さえ部１０ａ、１０ｂで押さえ付けられて束ねられてから導出部９の導出孔９ａを通ってコネクタＣの外部に導き出されるので、前記電線１の束は、前記導出部９を通る際には、前記電線押さえ部１０ａ、１０ｂで押さえ付けられた状態からややばらけた状態となっている。このため、前記導出部９を通る電線１の束は、電線１の間に隙間が生じた状態となっている。
【０１０２】
このような状態で、前記導出部９に形成された注入孔５８から、前記導出孔９ａ内に充填剤７が注入されるようになっている。このため、前記充填剤７が、前記導出部９内をややばらけた状態で通る電線１の間の隙間に容易に入り込むようになり、電線１の間を充填剤７で効率的に封止することができるようになる。
【０１０３】
また、前記ハウジング４の第２の壁部４２に電線押さえ部１０ａが立設されているので、前記導出部９の注入孔５８から注入されて前記ハウジング４の溝部４３内に流れ込む充填剤７が、前記ハウジング４の第２の壁部４２の内側に収納されたコネクタブロック３１の方へ流れ込むことを防ぐことができ、充填剤７による端子金具２の接触不良を防ぐことができる。
【０１０４】
このように、本実施形態のコネクタＣにおいては、ハウジング４とカバー５の双方に、５カバーをハウジング４に組み付けた状態で端子金具２に取り付けられた電線１を外部に導き出す導出孔９ａを形成する導出部９を設け、ハウジング４の導出部４５とカバーの導出部５７に、導出孔９ａの内側に向かって立設して電線１を押さえ付ける電線押さえ部１０ａ、１０ｂを設け、導出孔９ａ内に、充填剤７を注入したので、前記したようにカバー５とハウジング４の間を水密に保持することができるとともに、カバー５とハウジング４の間の嵌合面に僅かな隙間が生ずるような場合でも、前記嵌合面からの充填剤７の漏出を防ぐことができるという効果に加えて、前記電線押さえ部１０ａ、１０ｂで押さえ付けられた電線１が前記導出部９の導出孔９ａを通って外部に導き出される際に、電線１がばらけて電線１の間に隙間が生じるようになり、この状態で、前記導出孔内９ａに充填剤７を注入したので、前記電線１の間の隙間にも充填剤７が入り込むようになり、そのために、電線１の間を充填剤７で効率的に封止することができ、コネクタＣの水密性をより高めることができる。
【０１０５】
なお、前記電線押さえ部１０ａ、１０ｂは、前記ハウジング４及びカバー５と一体に形成してもよく、また、別体に形成してもよい。前記ハウジング４及びカバー５と別体に形成する場合には、前記電線押さえ部１０ａ、１０ｂをゴム等の弾性部材で構成するようにすれば、電線押さえ部１０ａ、１０ｂで押さえ付けられて束ねられる電線１の径が異なる場合でも、電線押さえ部１０ａ、１０ｂの弾性変形により、前記電線１の径の違いを吸収することができる。このため、電線押さえ部１０ａ、１０ｂで押さえ付けられた電線１と電線押さえ部１０ａ、１０ｂの間に隙間が形成されることを防ぐことができ、そのために、前記隙間からハウジング４のコネクタブロック３１の方に充填剤７が流れ込むことを防ぐことができ、よって、充填剤７による端子金具２の接触不良を防ぐことができる。
【０１０６】
また、前記電線押さえ部１０ａ、１０ｂは、前記ハウジング４と前記カバー５の両方に設けられている必要はなく、前記電線１を押さえ付けることができれば、前記ハウジング４と前記カバー５のいずれか一方に設けられていれば、十分である。
【０１０７】
また、前記した実施形態では、前記第１の実施形態のコネクタＣに電線押さえ部１０ａ、１０ｂを設けた場合を説明したが、前記第２の実施形態のコネクタＣに電線押さえ部１０ａ、１０ｂを設けるようにしてもよい。この場合、前記カバー５の電線押さえ部１０ｂは、外カバー５１０又は内カバー５２０のいずれかに設けるようにすればよい。
【０１０８】
なお、前記した実施形態は本発明の代表的な形態を示したに過ぎず、本発明は前記実施形態に限定されるものではなく、本発明の骨子を逸脱しない範囲で種々変更することができる。
【図面の簡単な説明】
【０１０９】
【図１】本発明の第１の実施形態に係るコネクタを示す分解斜視図である。
【図２】コネクタに収納されるコネクタブロックを示す分解斜視図である。
【図３】コネクタ全体を示す斜視図である。
【図４】コネクタの組立状態を説明する図３のＩ−Ｉ線横断面図である。
【図５】コネクタの組立状態を説明する図３のII−II線縦断面図である。
【図６】図５のＡ部の拡大説明図で、充填剤を注入する前の状態を示す図である。
【図７】図５のＡ部の拡大説明図で、充填剤を注入した後の状態を示す図である。
【図８】本発明の第２の実施形態に係るコネクタを示す分解斜視図である。
【図９】コネクタのハウジングに外カバーを組み付ける前の状態を示す斜視図である。
【図１０】コネクタの組立状態を説明する縦断面図である。
【図１１】本発明の第３の実施形態に係るコネクタを示すもので、特にコネクタのハウジングを示す斜視図である。
【図１２】コネクタの組立状態を説明する横断面図である。
【符号の説明】
【０１１０】
Ｃ  コネクタ
１  電線
２  端子金具
２１  電線接続部
２２  電気接触部
３  端子収容部
３１  コネクタブロック
３４  キャビティ
４  ハウジング
４１  第１の壁部
４１ａ  先端面
４２  第２の壁部
４２ａ  先端面
４３  溝部
４５  支持板部
４５ａ  内面
４５ｂ  段差
５  カバー
５１  第１の壁部
５１ａ  段部
５１ｂ  先端薄肉部
５２  第２の壁部
５２ａ  段部
５２ｂ  先端薄肉部
５４  溝部
５６  排出孔
５７  Ｕ字状部
５８  注入孔
５１０  外カバー
５１１  第１の壁部
５１１ｂ  先端薄肉部
５２０  内カバー
５２１  第２の壁部
５２１ｂ  先端薄肉部
５２２  通孔
５４１  溝部
６  充填用空間
７  充填剤
８ａ、８ｂ  嵌合面
９  導出部
９ａ  導出孔
１０ａ、１０ｂ  電線押さえ部
ｘ１、ｘ２  隙間
【図１】
0004464892.tif 000002
【図２】
0004464892.tif 000003
【図３】
0004464892.tif 000004
【図４】
0004464892.tif 000005
【図５】
0004464892.tif 000006
【図６】
0004464892.tif 000007
【図７】
0004464892.tif 000008
【図８】
0004464892.tif 000009
【図９】
0004464892.tif 000010
【図１０】
0004464892.tif 000011
【図１１】
0004464892.tif 000012
【図１２】
0004464892.tif 000013